(57)【要約】【課題】介護者（探索者）３の負担を軽減するため、徘徊癖のある老人（探索対象者）１の徘徊を未然に防ぐ事が出来る装置を提供する。【解決手段】介護者（探索者）３が徘徊癖のある老人（探索対象者）１の位置を検索するのではなく、徘徊癖のある老人（探索対象者）１が自宅の位置（通常原点位置）から一定距離だけ離れたら、徘徊癖のある老人（探索対象者）１が携帯する老人用端末（位置情報送信システム）２の送信機が自律的に起動し、介護者（探索者）３に位置情報を送信する。【選択図】  図１
2004357268.tif 000002
【特許請求の範囲】
【請求項１】
ＧＰＳと無線機を組み合わせ、特定の人物あるいは動物（以下、探索対象者と呼ぶ）の現在所在地を計測できるＧＰＳと無線を利用した徘徊予防装置。
【請求項２】
ＧＰＳで取得した探索対象者の位置情報を取得し、あらかじめ設定しておいた位置範囲から外れた場合に探索対象者に実装された位置情報送信システムが自律的に起動し、▲１▼探索対象者が通常原点位置から一定距離だけ離れているという事態、▲２▼探索対象者の現在位置、という少なくとも２つ以上の情報を微弱無線信号などのワイヤレス通信方式によって送信する請求項１に記載のＧＰＳと無線を利用した徘徊予防装置。
【請求項３】
探索対象者の位置情報は、一定範囲に設置された少なくとも一つ以上の受信機によって受信することができ、その情報を地図画面を含む画面構成を有する表示装置によって探索者に表示する請求項１に記載のＧＰＳと無線を利用した徘徊予防装置。
【請求項４】
探索対象者が携帯する装置は、探索対象者が使用する靴に収納されていることを特徴とする請求項１に記載のＧＰＳと無線機を利用した徘徊予防装置。
【発明の詳細な説明】
【０００１】
【発明の属する技術分野】
当該発明は、ＧＰＳ（Ｇｌｏｂａｌ  Ｐｏｓｉｔｉｏｎｉｎｇ  Ｓｙｓｔｅｍ：全世界測位システム）と無線機を組み合わせ、特定の人物あるいは動物（以下、探索対象者と呼ぶ）の現在所在地を計測、俊敏な探索処理を行うことができるシステムに関するものである。
【０００２】
【従来の技術】
ＧＰＳと無線機を組み合わせ、特定の人物あるいは動物などの現在所在地を計測できるシステムとして、特開平０６−１８８８１９号公報に記載の「位置検出システム」または特開平０９−２４７７３０号公報に記載の「位置検出方法およびその装置」などがある。
【０００３】
特開平０６−１８８８１９号公報に示されるものは、選択呼出受信機が呼び出された際、ＧＰＳ受信装置によって検出した位置情報を送信することにより、行方不明になった痴ほう症老人等の探索対象者の位置を迅速かつ確実に認識できるものである。
【０００４】
特開平０９−２４７７３０号公報に示されるものは、ＧＰＳとＰＨＳ（Ｐｅｒｓｏｎａｌ  Ｈａｎｄｙｐｈｏｎｅ  Ｓｙｓｔｅｍ）などの携帯電話を接続してなる痴ほう症老人等の探索対象者用端末に探索者から電話をかけ、電話をかけられた探索対象者用端末は、ＧＰＳにより位置情報を検出してＰＨＳ側に送り、ＰＨＳが探索者に探索対象者の位置情報を送信することにより、介護者の要介護老人の位置探索及び状態把握を容易にできるようにするものである。
【０００５】
【発明が解決しようとする課題】
ＧＰＳと無線機を組み合わせ、特定の人物あるいは動物などの現在所在地を計測できるシステムとして、前述のように特開平０６−１８８８１９号公報や特開平０９−２４７７３０号公報に示されているものがあるが、これらは行方不明となった痴ほう症老人等の探索対象者の位置を把握するために、探索者が探索対象者の携帯する装置を携帯電話やＰＨＳまたは無線機等により呼び出すことが必要であり、探索者の意思によって探索対象者の位置を把握することになる。
また、これら公衆回線を使用するシステムの場合では、公衆回線使用料と通信料が必要となってくる。
【０００６】
探索対象者を徘徊癖のある老人とした場合を例に挙げて、従来システムの問題点を以下説明する。
自宅で徘徊癖のある老人を介護をする場合の問題点は、徘徊の予防と徘徊老人の捜索である。しかし、徘徊癖のある老人は常時徘徊しているものではないため、徘徊癖のある老人が現在徘徊状態であるかどうかの判断は非常に困難である。そのため介護者が徘徊を認識するのが遅れた場合、捜索も広範囲となる。
【０００７】
また、徘徊を防止するためには自宅に閉じ込めておくか常時監視する方法が一般的であるが、自宅に閉じ込めることは人権的問題であり、また常時監視する方法も介護者の負担が増え困難である。
【０００８】
従来のシステムの場合、介護者が徘徊癖のある老人が持つ老人用端末に電話をかけるなどにより定期的にアクセスし、徘徊癖のある老人の位置情報を知ることができる。
しかし、徘徊癖のある老人が徘徊を始めたという事実は、介護者が老人用端末にアクセスしない限り認識することができないため、介護者は定期的なアクセスを実施しなければならず、アクセスしなかった場合には徘徊が発生しても気がつかない可能性があるなど、徘徊の防止を目的とした介護者の負担を軽減することができないという問題点があった。
【０００９】
【課題を解決するための手段】
本発明は上記のような問題点を解消するためになされたものであり、探索対象者の現在位置が通常原点位置から予め設定しておいた距離を越えた時に探索対象者が携帯する老人用端末（位置情報送信システム）が自律的に起動し、探索対象者の現在地情報が微弱無線信号または特定省電力無線信号などのワイヤレス通信方式によって送信される。
【００１０】
更にその送信情報は通常原点位置を中心とした一定範囲に設置された一つ以上の探索者用端末（位置情報受信システム）によって受信することができるようにし、介護者（探索者）はその受信信号を感知することにより、▲１▼探索対象者が通常原点位置から一定距離だけ離れているという事態、▲２▼探索対象者の現在位置、という２つの情報を知ることができ、徘徊の予防とより俊敏な探索処理を行うことを可能としたものである。
【００１１】
【発明の実施の形態】
以下本発明を図示した実施例に基づいて説明する。
図１は本発明の構成を示す構成図であり、徘徊癖のある老人（探索対象者）１が携帯する老人用端末（位置情報送信システム）２と介護者（探索者）３が携帯する探索者用端末（位置情報受信システム）４から構成されている。
前記老人用端末（位置情報送信システム）２は、徘徊癖のある老人（探索対象者）１の位置検出用のＧＰＳレシーバー５と徘徊癖のある老人（探索対象者）１の位置を介護者（探索者）３に送信する送信機６から構成され、前記老人用端末（位置情報送信システム）２には、あらかじめ自宅の位置（通常原点位置）と一定距離情報が登録されている。
【００１２】
介護者（探索者）３が携帯する探索者用端末（位置情報受信システム）４は、徘徊癖のある老人（探索対象者）１が携帯する老人用端末（位置情報送信システム）２から送られてくる位置情報を受信するための受信機７と徘徊癖のある老人（探索対象者）１の位置を表示する地図画面８から構成されている。探索者用端末（位置情報受信システム）４には、あらかじめ自宅の位置（通常原点位置）情報と自宅周辺の地図が登録されている。
【００１３】
老人用端末（位置情報送信システム）２のＧＰＳレシーバー５は、ＧＰＳ衛星９により徘徊癖のある老人（探索対象者）１の位置を常時測定し、測定した徘徊癖のある老人（探索対象者）１の位置と、あらかじめ登録しておいた自宅の位置（通常原点位置）情報により、徘徊癖のある老人（探索対象者）１の自宅の位置（通常原点位置）からの距離を求める。
【００１４】
該徘徊癖のある老人（探索対象者）１の自宅からの距離が、あらかじめ登録した一定距離だけ離れた場合、前記老人用端末（位置送信システム）２の送信機６が自律的に起動し、探索者用端末（位置情報受信システム）４に徘徊癖のある老人（探索対象者）１の位置と測位時間が自動的に送信されることにより、介護者（探索者）３は老人用端末（位置送信システム）２からの信号を探索者用端末（位置情報受信システム）４で受信することができ、老人が自宅の位置（通常原点位置）から離れたことを知ることができる。
【００１５】
尚、該老人用端末（位置情報送信システム）２のＧＰＳレシーバー５は、ＧＰＳ衛星９により徘徊癖のある老人（探索対象者）１の位置を常時測定するようにしたが、老人用端末（位置情報送信システム）２の消費電力を少なくするため、位置の測定頻度は例えば１５分毎の間隔を持たせてもよい。
【００１６】
また、同様に老人用端末（位置送信システム）２の送信機６が自律的に起動した後の該送信機６からの送信も、時間間隔を持たせることで老人用端末（位置送信システム）２の消費電力を少なくできることは言うまでもない。
【００１７】
図２は、老人用端末（位置情報送信システム）２の実施例を示す構成図である。
徘徊癖のある老人（探索対象者）１が携帯する老人用端末（位置情報送信システム）２を徘徊癖のある老人（探索対象者）１が使用する靴に組み込んだ靴型老人用端末（靴型位置情報送信システム）１０を示し、位置検出用のＧＰＳレシーバー５と位置を介護者（探索者）３に送信する送信機６が靴底に収納されている。
上記実施例によれば、老人用端末（位置情報送信システム）２の未携帯防止及び携帯することに対する徘徊癖のある老人（探索対象者）１への負担を軽減することができる。
【００１８】
【発明の効果】
上述したように本発明で提案するシステムによって、探索者は探索対象者が通常原点位置から一定距離だけ離れた時にその事象と探索対象者の場所を把握することができ、更に探索対象者側の自律的なシステム起動により、探索者の常時監視の手間を軽減し、かつ探索対象者が通常原点位置から離れる不意の事態が発生しても、位置情報によって探索などのすばやい対応が可能となった。
【００１９】
【図面の簡単な説明】
【図１】本発明の構成を示す構成図である。
【図２】本発明の老人用端末（位置情報送信システム）の実施例を示す構成図である。
【符号の説明】
１    徘徊癖のある老人（探索対象者）
２    老人用端末（位置情報送信システム）
３    介護者（探索者）
４    探索者用端末（位置情報受信システム）
５    ＧＰＳレシーバー
６    送信機
７    受信機
８    地図画面
９    ＧＰＳ衛星
１０  靴型老人用端末（靴型位置情報送信システム）
【図１】
2004357268.tif 000003
【図２】
2004357268.tif 000004